(57)【要約】【課題】  通信エラーが発生した場合に、当該通信エラーが当該ＲＦ−ＩＤタグの故障に起因するものであるか否かを判断したうえで、ＲＦ−ＩＤタグの故障としての処理を行う記録装置を提供する。【解決手段】  記録機能とＲＦ−ＩＤタグへの書き込み機能とを備える記録装置の制御方法であって、搬送中の連続ラベル紙のラベルに内蔵されたＲＦ−ＩＤタグへの電子情報の書き込みが正常に終了しなかった場合に（ステップＳ８０５）、該連続ラベル紙を電子情報の書き込み位置まで戻し（ステップＳ８０８）、搬送停止状態で再度電子情報の書き込み処理を行ったうえで（ステップＳ８１０）、ＲＦ−ＩＤタグが故障しているか否かの判定を行う（ステップＳ８１１）ことを特徴とする。【選択図】  図８
2009037551.tif 000002
【特許請求の範囲】
【請求項１】
ＲＦ−ＩＤタグを内蔵する記録媒体を搬送する搬送手段と、
前記記録媒体の表面に記録を行う記録手段と、
前記ＲＦ−ＩＤタグと通信を行い、該ＲＦ−ＩＤタグに電子情報の書き込みを行う書込手段と、
前記搬送手段による前記記録媒体の搬送中に、前記書込手段による書き込みが正常に終了したか否かを判定する判定手段と、を備え、
前記搬送手段は、
前記判定手段による判定の結果、正常に終了しなかったと判定された場合に、該ＲＦ−ＩＤタグを内蔵する記録媒体の表面への記録が完了するまで、該記録媒体の搬送を継続させ、その後、前記書込手段による電子情報の書き込み位置まで該記録媒体を搬送させることで、該記録媒体を該書き込み位置に停止させ、
前記書込手段は、
前記電子情報の再度の書き込みを行い、
前記判定手段は、前記書込手段による前記電子情報の再度の書き込みが正常に終了したか否かを判定し、正常に終了していないと判定した場合に、前記ＲＦ−ＩＤタグは故障していると判定することを特徴とする記録装置。
【請求項２】
ＲＦ−ＩＤタグを内蔵する記録媒体を搬送する搬送工程と、
前記記録媒体の表面に記録を行う記録工程と、
前記ＲＦ−ＩＤタグと通信を行い、該ＲＦ−ＩＤタグに電子情報の書き込みを行う書込工程と、
前記搬送工程による前記記録媒体の搬送中に、前記書込工程による書き込みが正常に終了したか否かを判定する判定工程と、を備え、
前記搬送工程は、
前記判定工程による判定の結果、正常に終了しなかったと判定された場合に、該ＲＦ−ＩＤタグを内蔵する記録媒体の表面への記録が完了するまで、該記録媒体の搬送を継続させ、その後、前記書込工程による電子情報の書き込み位置まで該記録媒体を搬送させることで、該記録媒体を該書き込み位置に停止させ、
前記書込工程は、前記電子情報の再度の書き込みを行い、
前記判定工程は、前記書込工程による前記電子情報の再度の書き込みが正常に終了したか否かを判定し、正常に終了していないと判定した場合に、前記ＲＦ−ＩＤタグは故障していると判定することを特徴とする記録装置の制御方法。
【請求項３】
請求項２に記載の制御方法をコンピュータによって実現させるための制御プログラムを格納した記憶媒体。
【請求項４】
請求項２に記載の制御方法をコンピュータによって実現させるための制御プログラム。
【発明の詳細な説明】
【技術分野】
【０００１】
本発明は、記録装置における制御技術に関するものであり、特にＲＦ−ＩＤタグを内蔵する記録媒体に対する電子情報の書き込み機能と記録機能とを備える記録装置における制御技術に関するものである。
【背景技術】
【０００２】
近年、非接触で電子情報の送受信が可能なＲＦ−ＩＤ（Ｒａｄｉｏ  Ｆｒｅｑｕｅｎｃｙ  Ｉｄｅｎｔｉｆｉｃａｔｉｏｎ）を用いたシステムが普及しつつある。ＲＦ−ＩＤシステムは、主に、電子情報を記憶するための不揮発性メモリを搭載したＩＣチップとＩＣチップに電気的に接続されたアンテナとを備えるＲＦ−ＩＤタグと、該ＲＦ−ＩＤタグをコントロールするＲＦ−ＩＤリーダ／ライタとから構成されている。
【０００３】
当該システムの特徴は、電子情報の新規書き込みや記憶が可能であることに加え、複数のＲＦ−ＩＤタグと同時に通信を行うことができ、かつ障害物等の影響を受けにくい点にある。このため、例えば、ＲＦ−ＩＤタグを商品等に搭載させることで、当該商品の流通管理システム等を構築することができる。
【０００４】
ここで、ＲＦ−ＩＤタグを商品等に搭載するための搭載方法としては様々な方法がある。その中でも、ＲＦ−ＩＤタグを商品情報等を記録するラベル（記録媒体）に内蔵させ、該ラベルを商品等に貼り付けることで、ＲＦ−ＩＤタグを商品に搭載する方法が一般的に知られている。
【０００５】
通常、このようなラベルを用いて商品管理システム等を構築するにあたっては、該ラベル表面への記録処理とＲＦ−ＩＤタグへの電子情報の書き込み処理とを行っておく必要がある。しかし、これらの処理を別々の装置を用いて分担して行ったのでは手間がかかることから、最近では、記録装置にＲＦ−ＩＤリーダ／ライタを搭載させ、ラベル表面への記録処理と、ＲＦ−ＩＤタグへの電子情報の書き込み処理とを一括して行うことが可能なＲＦ−ＩＤタグ書き込み機能付き記録装置が普及しつつある。
【０００６】
そして、これまで、当該ＲＦ−ＩＤタグ書き込み機能付き記録装置では、ＲＦ−ＩＤリーダ／ライタが備えるＲＦ−ＩＤ用通信アンテナの下に、ＲＦ−ＩＤタグが内蔵されたラベルを移動させた後、該ラベルの搬送を一旦停止させ搬送停止状態にて、電子情報の書き込みを行うこととしていた。
【０００７】
これは、ＲＦ−ＩＤアンテナのサイズの違いや、使用されているＩＣチップの違いなどによりＲＦ−ＩＤタグごとに、書き込み可能な最大容量や通信時間が異なるためである。
【０００８】
しかしながら、ＲＦ−ＩＤタグ機能付き記録装置の場合、ラベル表面への記録処理用として複数のフルラインヘッドをラベルの搬送方向に複数並べて配置する構成を採っており、記録処理に関しては搬送を停止させることなく連続して行うことができるようになっている。このため、上述のようにＲＦ−ＩＤタグへの電子情報の書き込み処理のために、搬送を停止させるのは、全体のスループットを向上させるうえで望ましくない。
【０００９】
このような背景のもと、ラベルの搬送を停止させることなく搬送状態でＲＦ−ＩＤタグへの電子情報の書き込みが可能な装置が提案されてきている（例えば、特許文献１参照）。
【００１０】
特許文献１によれば、ＲＦ−ＩＤタグが内蔵されたラベルが複数配された連続ラベル紙の搬送を停止させることなく、ＲＦ−ＩＤタグに対して確実に電子情報を書き込むことができるよう、記録条件や通信条件に基づいて連続ラベル紙の搬送速度を制御することとしている。
【特許文献１】特開２００３−１４０５４８号公報
【発明の開示】
【発明が解決しようとする課題】
【００１１】
しかしながら、上記特許文献１のように、電子情報を確実に書き込むことができるように搬送速度を制御することとすると、一部のＲＦ−ＩＤタグの記録条件や通信条件が原因で、連続ラベル紙全体のスループットが著しく抑えられてしまう場合がある。
【００１２】
一方で、搬送速度を上げて連続ラベル紙を搬送させてしまうと、ＲＦ−ＩＤタグの種類によっては通信時間内に通信が完了せず、通信エラー（通信が正常に終了しなかったことを示すエラー）が散発することとなる。ここで、従来のＲＦ−ＩＤタグ書き込み機能付き記録装置では、通信エラーが発生した場合、一律、ＲＦ−ＩＤタグの故障と判定し、当該ラベルを不良品として排出していた。しかしながら、上述のように搬送速度を上げて使用していた場合には、必ずしも、その全てがＲＦ−ＩＤタグの故障が原因で発生したものとは限らない。
【００１３】
このため、スループットの向上のために搬送速度を上げて使用する場合にあっては、通信時間内に通信が完了せずに通信エラーとなったＲＦ−ＩＤタグに関して、これを区別して取り扱うことが望ましい。
【００１４】
本発明は、上記課題に鑑みてなされたものであり、通信エラーが発生した場合でも、当該通信エラーが当該ＲＦ−ＩＤタグの故障に起因するものであるか否かを判断したうえでＲＦ−ＩＤタグの故障として処理することが可能な記録装置を提供することを目的とする。
【００１５】
更に、当該通信エラーが当該ＲＦ−ＩＤタグの故障に起因するものでないと判断された場合には、当該ＲＦ−ＩＤタグへの電子情報の再度の書き込みを行うことが可能な記録装置を提供することを目的とする。
【課題を解決するための手段】
【００１６】
上記の目的を達成するために本発明に係る記録装置は以下のような構成を備える。即ち、
ＲＦ−ＩＤタグを内蔵する記録媒体を搬送する搬送手段と、
前記記録媒体の表面に記録を行う記録手段と、
前記ＲＦ−ＩＤタグと通信を行い、該ＲＦ−ＩＤタグに電子情報の書き込みを行う書込手段と、
前記搬送手段による前記記録媒体の搬送中に、前記書込手段による書き込みが正常に終了したか否かを判定する判定手段と、を備え、
前記搬送手段は、
前記判定手段による判定の結果、正常に終了しなかったと判定された場合に、該ＲＦ−ＩＤタグを内蔵する記録媒体の表面への記録が完了するまで、該記録媒体の搬送を継続させ、その後、前記書込手段による電子情報の書き込み位置まで該記録媒体を搬送させることで、該記録媒体を該書き込み位置に停止させ、
前記書込手段は、
前記電子情報の再度の書き込みを行い、
前記判定手段は、前記書込手段による前記電子情報の再度の書き込みが正常に終了したか否かを判定し、正常に終了していないと判定した場合に、前記ＲＦ−ＩＤタグは故障していると判定することを特徴とする。
【発明の効果】
【００１７】
本発明によれば、通信エラーが発生した場合でも、当該通信エラーが当該ＲＦ−ＩＤタグの故障に起因するものであるか否かを判断したうえで、ＲＦ−ＩＤタグの故障として処理することが可能となる。
【００１８】
更に、当該通信エラーが当該ＲＦ−ＩＤタグの故障に起因するものでない判断された場合に、当該ＲＦ−ＩＤタグへの電子情報の再度の書き込みを行うことが可能となる。
【発明を実施するための最良の形態】
【００１９】
以下、添付図面を参照して本発明の好適な実施形態について、具体的かつ詳細に説明する。なお、以下に説明する実施形態では、インクジェット方式に従うフルライン記録ヘッドを用いた記録装置を備える記録システムを例に挙げて説明する。
【００２０】
なお、この明細書において、「記録」（「プリント」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００２１】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００２２】
さらに、「インク」（「液体」と言う場合もある）とは、上記「記録（プリント）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００２３】
またさらに、「ノズル」とは、特に断らない限り吐出口ないしこれに連通する液路およびインク吐出に利用されるエネルギーを発生する素子を総括して言うものとする。
【００２４】
［第１の実施形態］
＜記録システムの構成＞
図１は本発明の第１の実施形態にかかるインクジェット方式に従うフルライン記録ヘッドを用いたカラー記録装置１０１（以下、記録装置という）と、ホストコンピュータ１００（以下、ホストという）とを使用した記録システムの構成図である。図１に示すように、記録装置１０１とホスト１００とは、プリンタケーブル１０７で接続され、ホスト１００で処理された各種データは記録装置１０１にて記録されるように構成されている。
【００２５】
記録装置１０１は、後述のフルライン記録ヘッド（以下、記録ヘッドという）やＲＦ−ＩＤ用通信アンテナ、及び搬送部を覆うための上部カバー１０３と、記録ヘッドに供給される記録剤としての液体インクを貯蓄するタンク部を覆うための前カバー１０４と、記録媒体（ＲＦ−ＩＤタグが内蔵されたラベル）が台紙の長尺方向に複数仮着された連続ラベル紙（後述）を記録部１０８に給送する給紙部１０２と、記録部１０８から搬送される連続ラベル紙を記録媒体ごとにカットするカッタ部１０９とからその外郭が構成されている。
【００２６】
さらに、図１において、１０５は記録装置の電源スイッチ、１０６は記録装置１０１に操作環境の設定を行うための入力キーや記録装置のエラー発生状況をユーザに知らせるための表示手段とを備えた操作パネルである。操作パネルは、ＬＥＤ１１０、ＬＣＤ１１１、ボタン１１２から構成される。
【００２７】
＜連続ラベル紙の構成＞
図２は記録装置１０１が記録する記録媒体（ＲＦ−ＩＤタグが内蔵されたラベル）が台紙の長尺方向に複数仮着された連続ラベル紙２００の模式図である。
【００２８】
図２に示す連続ラベル紙２００は、裏面が粘着加工されたラベル２０１とそのラベルを連続紙として固定するための台紙２０６とからなり、ラベル２０１には、ＲＦ−ＩＤタグ２０５が内蔵されている。ＲＦ−ＩＤタグ２０５は電子情報を記憶するための不揮発性メモリを搭載したＩＣチップ２０３とループアンテナ２０２とから構成されている。
【００２９】
ＲＦ−ＩＤタグ２０５は電源を持たず、記録装置１０１に配設する後述のＲＦ−ＩＤ用通信アンテナから発生する電波を利用して電力を創成する。これを内部電源としてＲＦ−ＩＤタグ２０５では、ＲＦ−ＩＤ用通信アンテナから送信される電子情報をＩＣチップに書き込む。
【００３０】
＜記録装置のハードウェア構成＞
図３は、図１に示した記録装置１０１のハードウェア構成を示す断面図であり、図４は図１に示した記録装置１０１が用いる記録ヘッド及びＲＦ−ＩＤ用通信アンテナの配置を説明するための斜視図である。
記録装置１０１には最大６色の異なるインクを用いて記録することができるように６つの記録ヘッドが備えられている。具体的には、図３及び図４に示されているように、連続ラベル紙２００の搬送方向の上流方向から順に、ブラックインクを吐出する記録ヘッド３０６Ｂｋ、シアンインクを吐出する記録ヘッド３０６Ｃ、淡シアンインクを吐出する記録ヘッド３０６ＬＣ、マゼンタインクを吐出する記録ヘッド３０６Ｍ、淡マゼンタインクを吐出する記録ヘッド３０６ＬＭ、及びイエロインクを吐出する記録ヘッド３０６Ｙが備えられている。なお、以下、これら６つの記録ヘッドを総称して言及するときには参照番号３０５を用いるものとする。
【００３１】
記録装置１０１には、さらに、記録ヘッド３０５の上流側にＲＦ−ＩＤ用通信アンテナ３０３が設けられている。
【００３２】
図３に示すように、記録ヘッド３０５の下側に位置する搬送部３０２により、給紙部１０２にセットされた連続ラベル紙２００が後述する給送方法で記録ヘッド３０５による記録位置に向けて搬送されると、ＴＯＦ（Top Of Form）センサ３０４が動作し、連続ラベル紙２００上のラベル２０１の位置が管理される。
【００３３】
ラベル２０１がＲＦ−ＩＤ用通信アンテナ３０３の書き込み位置まで搬送されると、ＲＦ−ＩＤ用通信アンテナ３０３によりラベル内に内蔵されたＲＦ−ＩＤタグ２０５に対して電子情報の書き込みが行われる。
【００３４】
さらに、ＲＦ−ＩＤタグが内蔵されたラベル２０１が搬送され記録位置に達すると、６つの記録ヘッド３０６Ｂｋ、３０６Ｃ、３０６ＬＣ、３０６Ｍ、３０６ＬＭ、３０６Ｙによってインクが吐出され、ラベル２０１上に画像が記録される。画像が記録されたラベル２０１は、最終的にカッタ部１０９に搬出されるよう構成されている。カッタ部１０９ではラベルごとに連続ラベル紙２００をカットする。
【００３５】
搬送部３０２の下には、各記録ヘッド３０６Ｂｋ、３０６Ｃ、３０６ＬＣ、３０６Ｍ、３０６ＬＭ、３０６Ｙに供給される専用のインクを貯蓄するタンク部３０１が着脱自在に固定されている。
【００３６】
＜記録装置の機能構成＞
次に記録装置１０１の機能構成について説明する。図５は記録装置１０１の制御構成を示すブロック図である。
【００３７】
図５において、５０１は記録装置全体を制御するメインコントローラであり、ＣＰＵ５０１ａを内蔵し、後述する制御コマンドを記憶するための記憶制御機能、データ制御機能、及び、記録動作に必要な種々の設定のための設定制御機能などを有する。メインコントローラ５０１はインタフェース（不図示）を介してホスト１００に接続され、互いに信号の授受を行うことができる。
【００３８】
また、５０２はメインコントローラ５０１に接続され、制御プログラムなどを格納するＲＯＭであり、それらのプログラムに従いメインコントローラ５０１はＲＡＭ５１２を作業領域として使用して動作する。
【００３９】
また、ＲＡＭ５１２にはホスト１００から転送されＲＦ−ＩＤタグ２０５に書き込む電子情報が一時的に格納され、メインコントローラ５０１に接続されたＲＦ−ＩＤ通信回路５０９がＲＦ−ＩＤ用通信アンテナ３０３を通して、ＲＡＭ５１２に格納された電子情報をＲＦ−ＩＤタグに書き込む。
【００４０】
５０６はホスト１００から送信されてきた記録データを格納するイメージバッファメモリであり、５０６Ｂｋはブラック成分の記録データを一時的に格納するブラックイメージバッファ、同様に５０６Ｃ、５０６ＬＣ、５０６Ｍ、５０６ＬＭ、５０６Ｙはシアン成分、マゼンタ成分、淡マゼンタ成分、シアン成分、淡シアン成分、イエロ成分の記録データを一時的に格納するイメージバッファメモリである。
【００４１】
５０３は記録ヘッド３０６Ｂｋ、３０６Ｃ、３０６ＬＣ、３０６Ｍ、３０６ＬＭ、３０６Ｙに内蔵される発熱体（不図示）を駆動させるヘッド駆動回路である。メインコントローラ５０１に接続されたドライバコントローラ５０７が、イメージバッファメモリ５０６に格納された各色成分の記録データに従って、ヘッド駆動回路５０３を制御することで記録データが記録される。
【００４２】
５０４Ｄは搬送部３０２に設けられたフィードモータ５０４を駆動するモータドライバ、５００は給紙部１０２のロールユニットを駆動させるモータ５０５を駆動する駆動回路、５１３はカッタ部１０９を駆動させるモータ５０８を駆動する駆動回路であり、いずれもメインコントローラ５０１によって制御される。
【００４３】
また、５１１は前述したＴＯＦセンサ３０４を含む種々のセンサを総称したセンサ回路である。
【００４４】
＜制御コマンドの構造＞
図６はホスト１００から送信される種々の制御コマンドの構造を示した図である。図６に示すように、全てのコマンドは、そのコマンドの先頭にコマンドの種類を識別する識別コードが配置され、その識別コードに続いて、そのコマンドに関する付帯的な指示を設定するオペランドが配置されている。なお、コマンドの種類によっては、オペランドがなく、識別コードのみで構成される場合もある。
【００４５】
制御コマンドとしては、連続ラベル紙２００のサイズ等を設定する用紙設定コマンド６０１、記録データの基準となる位置を設定をするフォーマットコマンド６０２、記録装置本体の動作設定をする記録装置動作設定コマンド６１２、文字、イメージ、ＲＦ−ＩＤ夫々の詳細情報を設定するデータコマンド６０３、６０４、６０５、記録データの終了を示しジョブの開始を指示するジョブ開始コマンド６１０などがある。
【００４６】
それらのコマンドは記録コマンド転送例６１１に示されるようなコマンド列としてホスト１００から記録装置１０１に出力される。
【００４７】
なお、ＲＦ−ＩＤタグ２０５のＩＣチップ２０３の種類は用紙設定コマンド６０１のＩＣチップタイプオペランド６０６に、ＲＦ−ＩＤタグサイズはＲＦ−ＩＤタグ取付位置オペランド６０７に設定される。
【００４８】
また、記録装置１０１の給紙モードは記録装置動作設定コマンド６１２の給紙モードオペランド６１３に、記録装置１０１の搬送速度は搬送速度オペランド６１４に、記録装置のＲＦ−ＩＤタグ通信開始位置の設定はＲＦ−ＩＤタグ通信開始位置オペランド６１５に設定される。ＲＦ−ＩＤタグ通信開始位置オペランドは、ラベル先端を検出してから、ＲＦ−ＩＤタグ２０５との通信を開始するまでの搬送距離を設定するオペランドとなる。
【００４９】
ＩＣチップ２０３への書き込みデータ量はＲＦ−ＩＤデータコマンド６０５のデータ長オペランド６０８に設定され、書き込みデータはデータオペランド６０９に設定される。
【００５０】
＜記録処理および書き込み処理の流れ＞
次に、上記記録システムにおけるラベル２０１表面への記録処理及びＲＦ−ＩＤタグ２０５への書き込み処理について、図７〜図８を参照して説明する。
【００５１】
図７ａはＲＦ−ＩＤタグ２０５との通信時に通信エラーが無い場合の記録処理の遷移を示す図である。図７ｂはＲＦ−ＩＤタグとの通信時に通信エラーが発生した様子を示す図である。図７ｃはＲＦ−ＩＤタグ通信エラーが発生した場合に、ラベル表面の記録処理のみを続け、排出した様子を示す図である。図７ｄはＲＦ−ＩＤタグとの通信時に通信エラーが発生した場合に、当該ＲＦ−ＩＤタグを再び書き込み位置に戻すべく連続ラベル紙２００の搬送を行った様子を示す図である。図７ｅはＲＦ−ＩＤタグとの通信時に通信エラーが発生したＲＦ−ＩＤに対して、搬送停止状態で再度書き込みを行った様子を示す図である。
【００５２】
図８は上記記録システムにおける記録処理および書き込み処理の流れを示すフローチャートである。なお、この記録処理および書き込み処理は、記録装置１０１の処理部であるＣＰＵ５０１ａが、例えば、ＲＯＭ５０２に格納されたアプリケーションソフトを実行することにより実現される。以下、図８に示すフローチャートに沿って説明する。
【００５３】
記録枚数や用紙サイズ、ＲＦ−ＩＤタグ通信開始位置、ＩＣチップタイプなどの各種パラメータと記録データ、及びＩＣチップ２０３に書き込まれる電子情報は、記録コマンドとしてホスト１００から記録装置１０１に送信される。
【００５４】
アプリケーションソフトが起動されると、ステップＳ８０１において、ホスト１００から送信される記録コマンドを受信し、記録データはイメージバッファメモリ５０６Ｂｋ〜５０６Ｙに、その他はＲＡＭ５１２にそれぞれ記憶される。
【００５５】
ステップＳ８０２ではＲＦ−ＩＤデータコマンド６０５の有無を判断する。ここで、ＲＦ−ＩＤデータコマンド６０５がある、即ち、ＩＣチップ２０３に書き込む電子情報が存在すると判断された場合は、ステップＳ８０３に進み、連続ラベル紙２００
の搬送を開始する。
【００５６】
搬送開始後、ラベル２０１がＲＦ−ＩＤ用通信アンテナ３０３の書き込み位置７０１に搬送されると、ステップＳ８０４では、ＲＦ−ＩＤ用通信アンテナ３０３が、ラベル２０１内に内蔵されたＲＦ−ＩＤタグ２０５に対して電子情報の書き込みを開始する。
【００５７】
さらに、連続ラベル紙２００が搬送され、当該ラベル２０１が記録位置（各記録ヘッドの直下）に達すると、ＲＦ−ＩＤタグ２０５への書き込みと平行して、各記録ヘッド３０６Ｂｋ、３０６Ｃ、３０６ＬＣ、３０６Ｍ、３０６ＬＭ、３０６Ｙがインクを吐出し、ラベル２０１上に画像を記録する。
【００５８】
ＲＦ−ＩＤタグへの電子情報の書き込み終了後、ステップＳ８０５では、書き込みが正常に終了したかどうかを調べる。なお、書き込み処理は、ＲＦ−ＩＤタグ２０５への電子情報の書き込みを行った後、当該ＲＦ−ＩＤタグ２０５より、当該電子情報の読み出しを行い、書き込んだ電子情報と読み出した電子情報とが一致しているか否かを判断することにより、書き込みが正常に終了したか否かを判断する。
【００５９】
ここで、書き込みが正常終了したと判断され、かつ、次のラベルに書き込むべき電子情報が存在する場合は、図７ａに示すように次のＲＦ−ＩＤタグへの電子情報の書き込みを開始し、上述した処理を平行して実行する。そして、ＲＦ−ＩＤタグが内蔵されたラベル２０１表面への記録終了後、ステップＳ８１５では、連続ラベル紙をカッタ部１０９に排出する。
【００６０】
一方、ステップＳ８０５において、ＲＦ−ＩＤタグ２０５への電子情報の書き込みが正常に終了しなかったと判定された場合には、通信エラーが発生したとして、ステップＳ８０６に進み、図７ｂに示すようにＲＦ−ＩＤタグ２０５への電子情報の書き込みを中止する。
【００６１】
この際、図７ｃに示すように搬送は停止せず、当該ＲＦ−ＩＤタグが内蔵されたラベル２０１への記録は続け、記録終了後、ステップＳ８０７へ進み、当該ラベルをカッタ部１０９に排出する。
【００６２】
排出されたラベルは、搬送停止書き込みを行うために、ステップＳ８０８において、図７ｄに示すように当該ＲＦ−ＩＤタグが内蔵されたラベル２０１がＲＦ−ＩＤタグ書き込み位置７０１にくるように連続ラベル紙の搬送を行う。
【００６３】
当該ＲＦ−ＩＤタグが内蔵されたラベル２０１が書き込み位置７０１まで戻ったら、ステップＳ８０９において連続ラベル紙２００の搬送を停止する。搬送の停止を確認したら、ステップＳ８１０では、図７ｅに示すように搬送停止状態のまま再度通信エラーの発生したＲＦ−ＩＤタグに対して電子情報の書き込みを行う。
【００６４】
電子情報の書き込み終了後、ステップＳ８１１では、書き込みが正常に終了したかどうかを調べる。ここで、書き込みが正常に終了したと判断され、かつ次のＲＦ−ＩＤタグへ書き込む電子情報が存在する場合は、図７ａに示すように次のＲＦ−ＩＤタグへの書き込みを開始し、上述した処理を平行して実行する。そして、ＲＦ−ＩＤタグが内蔵されたラベル２０１表面への記録が終了すると、ステップＳ８１５では、当該ラベルをカッタ部１０９に排出する。
【００６５】
これに対して、ステップＳ８１１において、ＲＦ−ＩＤタグ２０５への電子情報の再度の書き込みが正常に終了しなかったと判断された場合には、ステップＳ８１２に進み、操作パネル１０６内のＬＣＤ１１１にＲＦ−ＩＤタグが故障である旨のエラーメッセージを表示し、ユーザに通知する。
【００６６】
そして、ステップＳ８１６において、当該ＲＦ−ＩＤタグが内蔵されたラベルをカッタ部１０９に排出し、その後、ステップＳ８１７で連続ラベル紙２００の搬送を停止しユーザがエラーを解除するまで待機する。ユーザがエラーを解除した後は、エラー発生時の記録データから処理を再開する。上記記録処理および書き込み処理は、すべての記録データがなくなるまで繰り返される。
【００６７】
以上の説明から明らかなように、本実施形態では、連続ラベル紙を搬送させた状態のまま、ＲＦ−ＩＤタグへの書き込みを行うことでスループットの低下を防ぐＲＦ−ＩＤ書き込み機能付き記録装置において、通信エラーが発生した場合に、通信時間に制限が発生しない状態で（つまり、搬送を停止させた状態で）再度ＲＦ−ＩＤタグへの書き込み行う構成とした。つまり、搬送停止状態でも痛心エラーとなる場合に、はじめて当該ＲＦ−ＩＤタグが故障していると判断することとした。
【００６８】
この結果、従来は、正常なＲＦ−ＩＤタグであるにもかかわらず、一律、ＲＦ−ＩＤタグの故障として処理してしまっていたものを、本実施形態によれば、その中からＲＦ−ＩＤタグは正常であるが、通信時間内に処理が完了せずに通信エラーとなってしまったものを排除することが可能となる。つまり、通信エラーが発生した場合でも、当該通信エラーが当該ＲＦ−ＩＤタグの故障に起因するものであるか否かを判断することが可能となる。
【００６９】
これにより、搬送速度を上げた場合でも、正常なＲＦ−ＩＤタグを不良品として排出してしまうことなく、確実に書き込みを行うことが可能となる。
【００７０】
＜第２の実施形態＞
上記第１の実施形態では、通信エラーが発生した場合に、必ず、搬送停止状態でのＲＦ−ＩＤタグへの電子情報の再度の書き込みを実施することとしたが、本発明は特にこれに限られない。例えば、通信エラーの種類によって、搬送停止させた状態での電子情報の書き込みを実施するか否かを判定し、実施すると判定された場合にのみ、電子情報の再度の書き込みを行うようにしてもよい。
【００７１】
本実施形態にかかる記録装置における記録処理および書き込み処理の流れを示すフローチャートを図９に示す。
【００７２】
記録枚数や用紙サイズ、ＲＦ−ＩＤタグ通信開始位置、ＩＣチップタイプなどの各種パラメータと記録データ、及びＩＣチップ２０３に書き込まれる電子情報は、記録コマンドとしてホスト１００から記録装置１０１に送信される。
【００７３】
アプリケーションソフトが起動されると、ステップＳ９０１において、ホスト１００から送信される記録コマンドを受信し、記録データはイメージバッファメモリ５０６Ｂｋ〜６０６Ｙに、その他はＲＡＭ５１２にそれぞれ記憶される。
【００７４】
ステップＳ９０２ではＲＦ−ＩＤデータコマンド６０５の有無を判断する。ここで、ＲＦ−ＩＤデータコマンド６０５がある、即ち、ＩＣチップ２０３に書き込む電子情報が存在すると判断された場合は、ステップＳ９０３に進み、連続ラベル紙２００の搬送を開始する。
【００７５】
搬送開始後、ラベル２０１がＲＦ−ＩＤ用通信アンテナ３０３の書き込み位置７０１に搬送されると、ステップＳ９０４では、ＲＦ−ＩＤ用通信アンテナ３０３が、ラベル２０１内に内蔵されたＲＦ−ＩＤタグ２０５に対して電子情報の書き込みを開始する。
【００７６】
さらに、連続ラベル紙２００が搬送され、当該ラベル２０１が記録位置（各記録ヘッドの直下）に達すると、ＲＦ−ＩＤタグ２０５への書き込みと平行して、各記録ヘッド３０６Ｂｋ、３０６Ｃ、３０６ＬＣ、３０６Ｍ、３０６ＬＭ、３０６Ｙがインクを吐出し、ラベル２０１上に画像を記録する。
【００７７】
ＲＦ−ＩＤタグ２０５への電子情報の書き込み終了後、ステップＳ９０５では、書き込みが正常に終了したかどうかを調べる。なお、書き込み処理は、ＲＦ−ＩＤタグ２０５への電子情報の書き込みを行った後、当該ＲＦ−ＩＤタグ２０５より、当該電子情報の読み出しを行い、書き込んだ電子情報と読み出した電子情報とが一致しているか否かを判断することにより、書き込みが正常に終了したか否かを判断する。
【００７８】
ここで、書き込みが正常終了したと判断され、かつ、次のＲＦ−ＩＤタグに書き込むべき電子情報が存在する場合は、図７ａに示すように次のＲＦ−ＩＤタグへの電子情報の書き込みを開始し、上述した処理を平行して実行する。そして、ＲＦ−ＩＤタグが内蔵されたラベル２０１表面への記録終了後、ステップＳ９１５では、連続ラベル紙をカッタ部１０９に排出する。
【００７９】
一方、ステップＳ９０５において、ＲＦ−ＩＤタグ２０５への電子情報の書き込みが正常に終了しなかったと判定された場合には、通信エラーが発生したとして、ステップＳ９１８に進み、発生した通信エラーの種類を判定する。
【００８０】
ここで、通信エラーの種類の判定について説明する。上述したように、ＲＦ−ＩＤタグへの電子情報の書き込み処理は、ＲＦ−ＩＤタグに書き込んだ電子情報をＲＦ−ＩＤリーダ／ライタが読み出し、書き込んだ電子情報と読み出した電子情報とが一致することを条件に、当該ＲＦ−ＩＤタグへの電子情報の書き込み処理が正常に終了したと判定している。
【００８１】
このため、書き込み処理が正常に終了しなかった（つまり、通信エラーが発生した）場合としては、所定の通信時間内に、電子情報の書き込み、書き込んだ電子情報の読み出し、ならびに両者の比較が完了しなかった場合と、これらの処理は完了したが、比較の結果、書き込んだ電子情報と読み出した電子情報とが一致しなかった場合とがある。
【００８２】
このうち、ＲＦ−ＩＤタグが故障していた場合に発生するのは、後者の場合である（故障している場合には、電子情報が正しく書き込まれないため、読み出された電子情報が、書き込もうとした電子情報と一致することはない）。
【００８３】
したがって、発生した通信エラーのうち、後者の理由による場合は、ＲＦ−ＩＤタグが故障していたことに起因する通信エラーであると判断し、それ以外の場合は、ＲＦ−ＩＤタグは正常であると判断する。
【００８４】
図９に戻る。通信エラーが、書き込んだ電子情報と読み出した電子情報とが一致しなかったことに起因する通信エラーであった場合には、ラベル内に内蔵されたＲＦ−ＩＤタグが故障していると判断して、ステップＳ９１９に進み、ラベルへの記録を中止する。
【００８５】
さらにステップＳ９１２に進み、操作パネル１０６内のＬＣＤ１１１にＲＦ−ＩＤタグが故障している旨のエラーメッセージを表示し、ユーザに通知する。そして、ステップＳ９１６において、当該ＲＦ−ＩＤタグが内蔵されたラベルをカッタ部１０９に排出し、その後、ステップＳ９１７で連続ラベル紙の搬送を停止しユーザがエラーを解除するまで待機する。ユーザがエラーを解除した後は、エラー発生時の記録データから処理を再開する。
【００８６】
一方、ステップＳ９１８において、通信エラーが、所定の通信時間内に処理が完了しなかったことに起因する通信エラーであった場合には、ラベルに内蔵されているＲＦ−ＩＤタグは正常ではあると判定してステップＳ９０６に進み、図７ｂに示すようにＲＦ−ＩＤタグへの電子情報の書き込みを中止する。
【００８７】
この際、図７ｃに示すように搬送は停止せずラベルへの記録は続け、記録終了後、ステップＳ９０７へ進み、当該ラベルをカッタ部１０９に排出する。排出されたラベルは、搬送停止書き込みを行うために、ステップＳ９０８において、図７ｄに示すように当該ＲＦ−ＩＤタグが内蔵されたラベルがＲＦ−ＩＤタグ書き込み位置にくるように連続ラベル紙の搬送を行う。
【００８８】
当該ＲＦ−ＩＤタグが内蔵されたラベルが書き込み位置まで戻ったら、ステップＳ９０９において、連続ラベル紙の搬送を停止する。搬送の停止を確認したら、ステップＳ９１０では、図７ｅに示すように搬送停止状態のまま再度通信エラーの発生したＲＦ−ＩＤタグに対して電子情報の書き込みを行う。
【００８９】
電子情報の書き込み終了後、ステップＳ９１１では、書き込みが正常に終了したかどうかを調べる。ここで、書き込みが正常に終了したと判断され、かつ次のＲＦ−ＩＤタグへ書き込む電子情報が存在する場合は、図７ａに示すように次のＲＦ−ＩＤタグへの電子情報の書き込みを開始し、上述した処理を平行して実行する。そして、ＲＦ−ＩＤタグが内蔵されたラベル２０１表面への記録が終了すると、ステップＳ９１５では、当該ラベルをカッタ部１０９に搬出する。
【００９０】
これに対して、ステップＳ９１１において、ＲＦ−ＩＤタグ２０５への電子情報の再度の書き込みが正常に終了しなかったと判断された場合には、ステップＳ９１２に進み、操作パネル１０６内のＬＣＤ１１１にＲＦ−ＩＤタグが故障である旨のエラーメッセージを表示し、ユーザに通知する。
【００９１】
そして、ステップＳ９１６において、当該ＲＦ−ＩＤタグが内蔵されたラベルをカッタ部１０９に排出し、その後、ステップＳ９１７で連続ラベル紙の搬送を停止しユーザがエラーを解除するまで待機する。ユーザがエラーを解除した後は、エラー発生時の記録データから処理を再開する。上記記録処理及び書き込み処理は、すべての記録データがなくなるまで繰り返される。
【００９２】
以上の説明から明らかなように、本実施形態によれば、通信エラーが発生した場合に、その種類を判定し、所定の通信時間内に処理が完了しなかったことに起因する通信エラーであると判定された場合にのみ、搬送停止状態での再度の書き込み処理を行うこととした。
【００９３】
これにより、ＲＦ−ＩＤタグの故障に起因して通信エラーとなったＲＦ−ＩＤタグに対してまで、搬送停止状態での再度の電子情報の書き込みを行うことがなくなり、上記第１の実施形態と比較して、全体のスループットを更に向上させることが可能となる。
【００９４】
なお、上記説明において、所定の通信時間については特に詳説しなかったが、当該時間についてはユーザが任意に設定できるように構成されていてもよい。また、書き込み対象のラベルの次のラベルの先端位置が所定の位置にきたことを契機に、所定の通信時間が経過したと判断するようにしてもよい。あるいは、書き込み対象のラベルの後端位置が所定の位置を通過したことを契機に、所定の時間が経過したと判断するようにしてもよい。
【００９５】
［その他の実施形態］
上記第１及び第２の実施形態では、フルラインタイプのインクジェット方式の記録装置に関する説明をしたが、インクジェット方式以外の記録ヘッドを持つプリンタ、すなわち感熱式、熱転写式、電子写真式等の他の記録方式、或いはモノクロの記録装置にも適用することが可能である。
尚、本発明は、複数の機器から構成されるシステムに適用しても、１つの機器からなる装置に適用してもよい。上述した実施形態の機能を実現するソフトウエアのプログラムコードを記憶した記憶媒体等の媒体をシステム或いは装置に供給し、そのシステム或いは装置のコンピュータ（またはＣＰＵやＭＰＵ）が記憶媒体等の媒体に格納されたプログラムコードを読み出し実行することによっても、本発明が達成されることは言うまでもない。
【００９６】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ、或いはネットワークを介したダウンロードなどを用いることができる。
【００９７】
また、コンピュータが読み出したプログラムコードを実行することにより、上述した実施形態の機能が実現されるだけでなく、そのプログラムコードの指示に基づき、コンピュータ上で稼動しているＯＳなどが実際の処理の一部または全部を行い、その処理によって上述した実施形態の機能が実現される場合も、本発明に含まれることは言うまでもない。
【００９８】
更に、記憶媒体等の媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も、本発明に含まれることは言うまでもない。
【図面の簡単な説明】
【００９９】
【図１】本発明の第１の実施形態にかかる記録装置とホストとを使用した記録システムの構成図である。
【図２】記録装置が記録媒体として使用するＲＦ−ＩＤタグが内蔵されたラベルが長尺方向に複数仮着された連続ラベル紙の模式図である。
【図３】記録装置のハードウェア構成を示す図である。
【図４】記録装置が備える記録ヘッド及びＲＦ−ＩＤ用通信アンテナの配置を示した図である。
【図５】記録装置の制御機能を示すブロック図である。
【図６】ホストから記録装置に送信される制御コマンドの構造を示した図である。
【図７】ラベルへの記録処理およびＲＦ−ＩＤタグへの書き込み処理の流れを示す図である。
【図８】ラベルへの記録処理およびＲＦ−ＩＤタグへの書き込み処理の流れを示すフローチャートである。
【図９】本発明の第２の実施形態にかかる記録装置による、ラベルへの記録処理およびＲＦ−ＩＤタグへの書き込み処理の流れを示すフローチャートである。
【図１】
2009037551.tif 000003
【図２】
2009037551.tif 000004
【図３】
2009037551.tif 000005
【図４】
2009037551.tif 000006
【図５】
2009037551.tif 000007
【図６】
2009037551.tif 000008
【図７】
2009037551.tif 000009
【図８】
2009037551.tif 000010
【図９】
2009037551.tif 000011